(57)【要約】      （修正有）【課題】紙皿の保形性を高め、簡素な構造と簡易な手法で製作可能とした紙皿を提供する。【解決手段】底面板部２、底面板部の連続して起立する周壁板部４及び周壁板部の上縁部から連続して外方に延びるフランジ部を備え、各部分を板紙をプレス加工して全一体に形成する。フランジ部は、これの周壁板部４の上縁部４ａと繋がる基端部が高く、外端部を低くなるように外方且つ下方に傾斜する内側フランジ部５と、この内側フランジ部よりも小さな幅で、且つ前記内側フランジ部から外方へ、且つ外方に折り曲げられる外側フランジ部６とからなる。【選択図】図３
0003171987.tif 000002
【実用新案登録請求の範囲】
【請求項１】
底面板部、底面板部の周縁から連続して起立する周壁板部及び周壁板部の上縁部から連続して外方に延びるフランジ部を備え、各部分を板紙をプレス加工して全一体に形成した紙皿において、
前記フランジ部は、これの周壁板部の上縁部と繋がる基端部が高く、外端部を低くなるように外方且つ下方に傾斜する内側フランジ部と、この内側フランジ部よりも小さな幅で、且つ前記内側フランジ部から外方へ、且つ下方に折り曲げられる外側フランジ部とからなる、
ことを特徴とする紙皿。
【請求項２】
前記外側フランジ部の幅は、内側フランジ部の幅の０．１〜０．３であることを特徴とする請求項１記載の紙皿。
【請求項３】
前記紙皿の底面板部の内底面から周壁板部の上縁部までの高さが１０ｍｍ〜２５ｍｍで、前記内側フランジ部の幅が１５ｍｍ〜２５ｍｍである浅皿であることを特徴とする請求項１記載の紙皿。
【請求項４】
前記紙皿の底面板部には、紙皿の外形形状と類似する凸部又は凹部を形成したことを特徴とする請求項１記載の紙皿。
【請求項５】
底面板部、底面板部の周縁から連続して起立する周壁板部及び周壁板部の上縁部から連続して外方に延びるフランジ部を備え、各部分を板紙をプレス加工して全一体に形成した紙皿において、
前記フランジ部は、これの周壁板部の上縁部と繋がる基端部が高く、外端部を低くなるように外方且つ下方に傾斜する内側フランジ部と、この内側フランジ部よりも小さな幅で、且つ前記内側フランジ部から外方へ、且つ下方に折り曲げられる外側フランジ部とからなり、
前記外側フランジ部の幅は、内側フランジ部の幅の０．１〜０．３であり、
前記紙皿の底面板部には、紙皿の外形形状と類似する凸部又は凹部を形成した浅皿である、
ことを特徴とする紙皿。
【請求項６】
底面板部、底面板部の周縁から連続して起立する周壁板部及び周壁板部の上縁部から連続して外方に延びるフランジ部を備え、各部分を板紙をプレス加工して全一体に形成した紙皿において、
前記フランジ部は、これの周壁板部の上縁部と繋がる基端部が高く、外端部を低くなるように外方且つ下方に傾斜する内側フランジ部と、この内側フランジ部よりも小さな幅で、且つ前記内側フランジ部から外方へ、且つ下方に折り曲げられる外側フランジ部とからなり、
前記外側フランジ部の幅は、内側フランジ部の幅の０．１〜０．３であり、
前記紙皿は浅皿である、
ことを特徴とする紙皿。
【考案の詳細な説明】
【技術分野】
【０００１】
本考案は、板紙をプレス加工して各部分を全一体に形成した紙皿に関するものである。
【背景技術】
【０００２】
板紙をプレス加工して、各部分を全一体に形成した紙皿は知られている。
【先行技術文献】
【特許文献】
【０００３】
【特許文献１】特開２０００−１０９０５３号公報
【特許文献２】特開平９−４００３５号公報
【特許文献３】特許第３９７９４６３号公報
【０００４】
図７は、特許文献１の紙皿の再掲図で、紙皿１００は、底板部１０１の四周から斜め外方に立ち上がる周壁板部１０２を有し、周壁板部１０２の上端縁部１０３から外方且つ下方に折り曲げられたフランジ板１０４を全周に備え、紙皿を上から嵌合させつつ段積み可能としたものである。
【０００５】
フランジ板１０４は、紙皿１００の上縁の補強作用を発揮する。下方に折り曲げられたフランジ板１０４が変形して上方へ撓むと、フランジ板１０４の補強作用が消失する。
この紙皿１００に食品１０５を収容した際、図８に示すように、その重みで底板部１０１が上述のように撓んで変形し、フランジ板１０４が水平方向若くは上方に撓み、フランジ板１０４が開いて紙皿全体が大きく変形し、収容した食品１０５がこぼれたりする虞がある。
即ち、保形性が悪い。
【考案の概要】
【考案が解決しようとする課題】
【０００６】
紙皿のフランジ部の補強、ひいては紙皿を補強し、保形性を高めるものとして、特許文献２は、周壁板部及びフランジ部に凹凸状の皺を多数形成するものがあるが、皺形成のための金型を始め成形装置が複雑化するし、また、工数が増える。
また、特許文献３のように、フランジ部の補強、紙皿の保形性を高めるため、フランジ部の周縁部に丸め、玉縁部を設けるものもあるが、周縁部の玉縁部形成のための金型を始め成形装置が複雑化し、且つカール成形は紙皿の成形を合わせ成形工数が増える。
【０００７】
本考案は、紙皿の保形性を効果的に高め、しかも保形性の確保を、簡素な構造と簡易な手法で製作可能とした紙皿を提供することを目的とする。
【課題を解決するための手段】
【０００８】
上記課題を解決するために、請求項１は、底面板部、底面板部の周縁から連続して起立する周壁板部及び周壁板部の上縁部から連続して外方に延びるフランジ部を備え、各部分を板紙をプレス加工して全一体に形成した紙皿において、フランジ部は、これの周壁板部の上縁部と繋がる基端部が高く、外端部を低くなるように外方且つ下方に傾斜する内側フランジ部と、この内側フランジ部よりも小さな幅で、且つ内側フランジ部から外方へ、且つ下方に折り曲げられる外側フランジ部とからなることを特徴とする。
【０００９】
請求項２は、請求項１において、外側フランジ部の幅は、内側フランジ部の幅の０．１〜０．３であることを特徴とする。
【００１０】
請求項３は、請求項１において、紙皿の底面板部の内底面から周壁板部上縁部までの高さが１０ｍｍ〜１５ｍｍで、内側フランジ部の幅が１５ｍｍ〜２５ｍｍである浅皿であることを特徴とする。
【００１１】
請求項４は、請求項１において、紙皿の底面板部には、紙皿の外形形状と類似する凸部又は凹部を形成したことを特徴とする。
【００１２】
請求項５は、底面板部、底面板部の周縁から連続して起立する周壁板部及び周壁板部の上縁部から連続して外方に延びるフランジ部を備え、各部分を板紙をプレス加工して全一体に形成した紙皿において、フランジ部は、これの周壁板部の上縁部と繋がる基端部が高く、外端部を低くなるように外方且つ下方に傾斜する内側フランジ部と、この内側フランジ部よりも小さな幅で、且つ内側フランジ部から外方へ、且つ下方に折り曲げられる外側フランジ部とからなり、外側フランジ部の幅は、内側フランジ部の幅の０．１〜０．３であり、紙皿の底面板部には、紙皿の外形形状と類似する凸部又は凹部を形成した浅皿であることを特徴とする。
【００１３】
請求項６は、底面板部、底面板部の周縁から連続して起立する周壁板部及び周壁板部の上縁部から連続して外方に延びるフランジ部を備え、各部分を板紙をプレス加工して全一体に形成した紙皿において、フランジ部は、これの周壁板部の上縁部と繋がる基端部が高く、外端部を低くなるように外方且つ下方に傾斜する内側フランジ部と、この内側フランジ部よりも小さな幅で、且つ内側フランジ部から外方へ、且つ下方に折り曲げられる外側フランジ部とからなり、外側フランジ部の幅は、内側フランジ部の幅の０．１〜０．３であり、紙皿は浅皿であることを特徴とする。
【考案の効果】
【００１４】
請求項１に係る考案では、紙皿上端部の周縁板部から外方且つ下方に傾斜した内側フランジ部が延出し、これの上縁部に外方且つ下方に折り曲がった外側フランジ部と、夫々外方且つ下方に曲げられた二重のフランジ部により、一次的に傾斜した内側フランジ部により、次に内側フランジ部から延出された外方且つ下方に折り曲げられた外側フランジ部によりフランジ部全体として強度が高まり、紙皿のフランジ部の保形性が向上する。
特に、外側フランジ部が外方且つ下方に折れ曲がっていることにより、内側フランジ部の外端部に縁巻部を設けたのと同様、或いはこれ以上の強度を得ることができ、紙皿の保形性が大幅に向上する。
【００１５】
そして、以上を紙皿成形時に通常形成される内側フランジ部を傾斜させ、これの外端部に外側フランジ部を連続して傾斜させて成形することにより、保形性の高い紙皿を得ることができるので、金型構造、プレス装置も簡素なもので足り、保形性に優れた紙皿の成形も極めて容易であり、安価に保形性に優れた紙皿を得ることができる。
【００１６】
請求項２に係る考案では、外側フランジ部の幅は、内側フランジ部の幅の０．１〜０．３とし、内側フランジ部に比べて外側フランジ部が幅狭であるため、外観性は良好である。
即ち、請求項１の効果に加えるに、内側フランジ部の幅を大きく設定しつつ、保形性に優れた紙皿の外形寸法が過大とならない外観性が良好な紙皿を得ることができる。
【００１７】
請求項３に係る考案では、紙皿の底面板部の内底面から周壁板部上縁部までの高さが１０ｍｍ〜１５ｍｍで、内側フランジ部の幅が２０ｍｍ〜２５ｍｍとした浅皿であるから、底面板部への下向きの荷重はそれほど大きくはない。軽荷重であるので、２０ｍｍ〜２５ｍｍの幅の内側フランジ部で充分な補強作用を発揮し、外側フランジ部の補強作用がこれに加わり、請求項１の効果に加えるに、保形性に優れた浅皿を得ることができる。
【００１８】
請求項４に係る考案では、紙皿の底面板部には、紙皿の外形形状と類似する凸部又は凹部を形成したので、請求項１の効果に加えるに、紙皿の底面板部は凸又は凹状のリブ効果で補強され、底全体の強度が大幅に向上し、前記した内外のフランジ部の強度アップ作用と合わせ、強度が高く、保形性に優れた紙皿を得ることができる。
【００１９】
請求項５に係る考案では、紙皿上縁部から外方且つ下方に傾斜した内側フランジ部が延出し、これの外端部に外方且つ下方に折り曲がった外側フランジ部と、夫々外方且つ下方に曲げられた二重のフランジ部により、一次的に傾斜した内側フランジ部により、次に内側フランジ部から延出された外側フランジ部によりフランジ部全体として強度が高まり、紙皿のフランジ部の保形性が向上する。
特に、外側フランジ部が外方且つ下方に折れ曲がっていることにより、内側フランジ部の外端部に縁巻部を設けたのと同様、或いはこれ以上の強度を得ることができ、紙皿の保形性が大幅に向上する。
また、内側フランジ部に比べて外側フランジ部が幅狭であるため、外観性は良好であり、内側フランジ部の幅を大きく設定しつつ、保形性に優れた紙皿の外形寸法が過大とならない外観性が良好な紙皿を得ることができる。
さらに、浅皿であるから、底面板部への下向きの荷重はそれほど大きくはなく、従って、収容する速品等は軽荷重であるので、内側フランジ部で充分な補強作用を発揮し、これに外側フランジ部の補強作用が加わり、保形性に優れた浅皿を得ることができる。
さらにまた、紙皿の底面板部は凸又は凹状のリブ効果で補強され、底全体の強度が大幅に向上し、内外のフランジ部の強度アップ作用と合わせ、強度が高く、保形性に優れた浅皿を得ることができる。
【００２０】
請求項６に係る考案では、紙皿上縁部から外方且つ下方に傾斜した内側フランジ部が延出し、これの外端部に外方且つ下方に折り曲がった外側フランジ部と、夫々外方且つ下方に曲げられた二重のフランジ部により、一次的に傾斜した内側フランジ部により、次に内側フランジ部から延出された外側フランジ部によりフランジ部全体として強度が高まり、紙皿のフランジ部の保形性が向上する。
特に、外側フランジ部が外方且つ下方に折れ曲がっていることにより、内側フランジ部の外端部に縁巻部を設けたのと同様、或いはこれ以上の強度を得ることができ、紙皿の保形性が大幅に向上する。
また、内側フランジ部に比べて外側フランジ部が幅狭であるため、外観性は良好であり、内側フランジ部の幅を大きく設定しつつ、保形性に優れた紙皿の外形寸法が過大とならない外観性が良好な紙皿を得ることができる。
さらに、浅皿であるから、底面板部への下向きの荷重はそれほど大きくはなく、従って、収容する食品等は軽荷重であるので、内側フランジ部で充分な補強作用を発揮し、これに外側フランジ部の補強作用が加わり、保形性に優れた浅皿を得ることができる。
【図面の簡単な説明】
【００２１】
【図１】本考案に係る紙皿の斜視図である。
【図２】本考案に係る紙皿の平面図である。
【図３】図２の３−３線断面図である。
【図４】図３要部の拡大図である。
【図５】本考案に係る紙皿の他の実施の形態の平面図である。
【図６】図５の６−６線断面図である。
【図７】従来の紙皿の一例を示す半裁縦断側面図である。
【図８】図７の紙皿にものを収容した状態の縦断側面図である。
【考案を実施するための形態】
【００２２】
本考案の実施の形態を添付図に基づいて以下に説明する。なお、図面は符号の向きに見るものとする。
【実施例１】
【００２３】
図１は、本考案に係る紙皿１の斜視図であり、紙皿１は板紙素材をプレス成形して得られる。
紙皿１の四隅部１ａ…（…は複数を表す。以下同じ）が弧状の実施例では略々正方形の浅い紙皿（略々正方形の浅皿）である。
図２、図３を参照しつつ説明すると、紙皿１の底面板部２は四隅２ａ…が弧状の正方形をなし、中央部に面積の大きい相似形の凸部３が一体に形成されている。
【００２４】
上記した底面板部２の中央部に形成された凸部３を囲む底面板部２の周辺部２ｂの縁部２ｃから斜め外方且つ上方に、周壁板部４が底面板部２の周囲を囲むように連続して起立して一体に形成されている。
底面板部２の周縁部を囲む起立した四周の周壁板部４は、外方且つ上方への傾斜が緩やかである。
【００２５】
周壁板部４の四周の上縁部４ａには、該上縁部４ａに連続し、外方に折れ曲がり、外方に延出される内側フランジ部５を一体に形成し、内側フランジ部５は、図４で明示した通り基部である上縁部４ａが最も高く、先端部５ａが低く、外方に向かって傾斜して延出し、傾斜角度θは、例えば１〜３°である。
内側フランジ部５は扁平か、或いは略々扁平に形成し、上方に幾分湾曲する大きなアール断面でも良い。
【００２６】
内側フランジ部５の先端部５ａには、この先端部５ａに連続して内側フランジ部５よりも幅が小さい外側フランジ部６を一体に形成する。
外側フランジ部６は、内側フランジ部５の先端部５ａから外方且つ下方に折り曲げられて延出され、外側フランジ部６の折り曲げ角度は、内側フランジ部５の折り曲げ角度θよりも大きい。
【００２７】
外側フランジ部６の幅Ｗ２に対し、内側フランジ部５の幅Ｗ１であるが、紙皿１の外形寸法にもよるが、内側フランジ部５の幅Ｗ１が、例えば１９ｍｍであり、外側フランジ部６の幅Ｗ２は２ｍｍである。
Ｗ１に対しＷ２の比率０．１〜０．３程度が好ましい。
その理由は、外側フランジ部６の幅が大きいと、食べ物等を収容する皿部分である周壁板部４で囲まれる底面板部２の寸法に対し、内側フランジ部５を含むフランジ部全体の外形寸法が大きくなり、紙皿全体の外形寸法が大きくなることから、この範囲が好ましい。
【００２８】
実施例では、紙皿１は外形が略々正方形（矩形）であり、矩形の紙皿であるが、底の深さが浅い浅皿である。
例えば、図示実施例では、外形寸法（外側フランジ部を含む）が２３８ｍｍ×２３８ｍｍの四隅をアールとし、底面板部２の内底面から周壁板部４の上縁部４ａまでの高さ（深さ）が２０ｍｍの角皿である。
底面板部２の内法寸法は１５０ｍｍ×１５０ｍｍであり、その中央部に１１３ｍｍ×１１３ｍｍ、高さが１ｍｍの凸部３を形成した。
この凸部３が底面板部２の補強リブとして機能し、底面板部２の強度アップに資するものである。
【００２９】
以上の紙皿１を構成する板紙であるが、腰のある紙板材で、表面を樹脂コーティングしたラミネート紙を用いた。
樹脂コーティングした表面を上面とし、食べ物等を収容する皿部分とした。
【実施例２】
【００３０】
図５、図６は本考案に係る紙皿の他の実施例を示す。
本実施例では、紙皿の底面板２に前記した凸部を設けることなく、底面板部２を扁平としたものである。
本実施例は基本的な構造は前記した実施例と同じなので、同一部分には同一符号を付し、説明は省略する。
【００３１】
以上において、本考案では、底面板部２の周縁部２ｃから立ち上がった周壁板部４、周壁板部４の上端部４ａから外方且つ斜め下方に延出した内側フランジ部５、これの先端部５ａから外方且つ下方に折り曲げられて延出された幅が小さい外側フランジ部６とを備える。
本考案に係る紙皿１の底面板部２上に食品を載せた際、その荷重により、底面板部２が下方に撓み、下方に折り曲げられた内側フランジ部５が開いたり、上方に変形して撓んだりするように作用する。
ところで、内側フランジ部５の外端部に、外方且つ下方に折り曲げられた外側フランジ部６が一体に、連続して有するので、この部分が内側フランジ部５の変形を抑制し、内側フランジ部５を補強し、保形性が高まる。
【００３２】
以上の実施例では平面視が矩形の角皿で説明したが、平面視が円形、或いは長円形の丸皿でも良く、紙皿の平面形状は自由である。
また、図１〜図４の実施例では、底面板部２の凸部３を設ける例を示したが、凸部３に代えて下方に凹出する凹部としてもよい。
【産業上の利用可能性】
【００３３】
本考案の紙皿は、アウトドア等で食事をするのに用いる紙皿として好適である。
【符号の説明】
【００３４】
１…  紙皿、２…底面板部、３…凸部、４…周壁板部、４ａ…周壁板部の上縁部、５…内側フランジ部、６…外側フランジ部。
【図１】
0003171987.tif 000003
【図２】
0003171987.tif 000004
【図３】
0003171987.tif 000005
【図４】
0003171987.tif 000006
【図５】
0003171987.tif 000007
【図６】
0003171987.tif 000008
【図７】
0003171987.tif 000009
【図８】
0003171987.tif 000010